(57)【要約】  セル内の資源を制御する少なくとも１つの論理制御ノード（７）と、サービス品質を制御する少なくとも１つの論理サービスノード（９）と、を備える移動体電気通信ネットワークにおいて負荷に基づくハンドオーバを制御する方法と制御ノードが提案されている。ここで、論理サービスノードは、少なくとも第１の基地局と通信する移動体端末にハンドオーバを実行するように命令する端末命令手段を備え、ＣＲＮＣにおいて、セル内の負荷が第１の閾値を上回っているか否かを判定する工程と、ＣＲＮＣにおいて、セル内の負荷が前記第１の閾値を上回っている場合に他のキャリアへ移行させるべき移動体端末を選択する工程と、ＣＲＮＣから、少なくとも１つの移動体端末に対してハンドオーバの実行を命令するように、ＳＲＮＣに対して命令する工程と、を備える。
2008530945.tif 000002
【特許請求の範囲】
【請求項１】
第１のセルを受け持つ第１の基地局（３）を少なくとも制御する移動体電気通信ネットワークにおいて使用され、該セル内の資源を制御する機能と、サービス品質を制御するように構成された論理サービスノード（９）と通信する機能とを備える、論理制御ノード（７）であって、
前記論理サービスノード（９）は、ハンドオーバに必要なアクションを開始するコンテキスト手段（２１）と、少なくとも前記第１の基地局（３）と通信する移動体端末（５）にハンドオーバを実行するように命令する端末命令手段（１７，２５）と、を備え、
前記セル内の負荷が第１の閾値を上回っているか否かを判定する判定手段（１１）と、
前記セル内の負荷が前記第１の閾値を上回っている場合に他のキャリアへ移行させるべき移動体端末であって、少なくとも前記第１の基地局と通信する少なくとも１つの移動体端末を選択する選択手段（１３）と、
前記少なくとも１つの移動体端末に対して他のキャリアへのハンドオーバの実行を命令するように、前記論理サービスノード（９）内の前記コンテキスト手段（２１）に対して命令する、制御ノード命令手段（１５）と、
を備えることを特徴とする論理制御ノード（７）。
【請求項２】
前記制御ノード命令手段（１５）は、Ｉｕｒインタフェース上のＲＮＳＡＰメッセージの手段によって、前記コンテキスト手段（２１）に命令するように構成される、請求項１に記載の論理制御ノード。
【請求項３】
ＷＣＤＭＡネットワークで使用するために、前記少なくとも１つの移動体端末は少なくとも前記第１の基地局と第１の周波数で通信し、前記他のキャリアは、前記第１の周波数と異なる第２の周波数を使用する、同一ネットワーク内の通信チャネルである、請求項１又は２に記載の論理制御ノード。
【請求項４】
前記他のキャリアは、異なる移動体電気通信ネットワーク内の通信チャネルである、請求項１又は２に記載の論理制御ノード。
【請求項５】
ＷＣＤＭＡネットワークで使用するために、前記選択手段は、前記少なくとも１つ移動体端末のための少なくとも１つのサービス指標を前記サービスノード（９）から受信し、その選択を該サービス指標に基づいて行うように構成される、請求項１から４のいずれか１項に記載の論理制御ノード。
【請求項６】
前記少なくとも１つのサービス指標を前記サービスノード（９）から要求する手段を更に備える、請求項５に記載の論理制御ノード。
【請求項７】
前記選択手段は、その選択を、前記少なくとも１つの基地局と前記少なくとも１つの移動体端末との間のサービスの種類に基づいて行うように構成される、請求項１から６のいずれか１項に記載の論理制御ノード。
【請求項８】
移動体電気通信ネットワークにおいて使用される論理サービスノード（９）であって、
サービス品質を制御する機能と、第１のセルを受け持つ第１の基地局（３）を少なくとも制御するように構成された論理制御ノード（７）と通信する機能と、を備え、
更に、ハンドオーバに必要なアクションを開始する端末コンテキスト手段（２１）と、前記ネットワーク内で通信している移動体端末（５）にハンドオーバを実行するように命令する端末命令手段（１７，２５）と、を備え、
前記端末コンテキスト手段（２１）は、
前記端末命令手段（１７，２５）に対して、少なくとも１つの前記移動体端末に他のキャリアへのハンドオーバを実行するように命令させる、ハンドオーバ命令を前記制御ノード命令手段（１５）から受信し、
前記制御ノード命令手段（１５）から前記ハンドオーバ命令を受信した場合、前記少なくとも１つの移動体端末にハンドオーバの実行を命令するように、前記端末命令手段（１７，２５）に対して命令する
ように構成されることを特徴とする、論理サービスノード（９）。
【請求項９】
前記端末コンテキスト手段（２１）は、前記制御ノード命令手段（１５）から、Ｉｕｒインタフェース上のＲＮＳＡＰメッセージとして、前記ハンドオーバ命令を受信するように構成される、請求項８に記載の論理サービスノード。
【請求項１０】
ＷＣＤＭＡネットワークで使用するために、前記少なくとも１つの移動体端末は少なくとも前記第１の基地局と第１の周波数で通信し、前記他のキャリアは、前記第１の周波数と異なる第２の周波数を使用する、同一の移動体電気通信ネットワーク内の通信チャネルである、請求項８又は９に記載の論理サービスノード。
【請求項１１】
前記他のキャリアは、異なる移動体電気通信ネットワーク内の通信チャネルである、請求項８に記載の論理サービスノード。
【請求項１２】
ＷＣＤＭＡネットワークで使用するために、前記少なくとも１つの移動体端末のための少なくとも１つのサービス指標を、前記論理制御ノード内の選択手段（１３）に提供するサービス指標手段（１９）を備える、請求項８から１１のいずれか１項に記載の論理サービスノード。
【請求項１３】
前記サービス指標手段（１９）は、前記論理制御ノードからの要求に応じて、前記少なくとも１つのサービス指標を提供するように構成される、請求項１２に記載の論理サービスノード。
【請求項１４】
前記サービス指標手段（１９）は、コネクションの開始時に、前記少なくとも１つのサービス指標を提供するように構成される、請求項１２に記載の論理サービスノード。
【請求項１５】
前記サービス指標手段（１９）は、ある時期に、前記少なくとも１つのサービス指標を提供するように構成される、請求項１２に記載の論理サービスノード。
【請求項１６】
実行するハンドオーバの種類を選択するハンドオーバ選択手段（２１）を更に備える、請求項８から１５のいずれか１項に記載の論理サービスノード。
【請求項１７】
第１のセルを受け持つ第１の基地局と、該セル内の資源を制御する少なくとも１つの論理制御ノード（７）と、サービス品質を制御する少なくとも１つの論理サービスノード（９）と、を備える移動体電気通信ネットワークにおいて使用される方法であって、
前記論理サービスノードは、少なくとも前記第１の基地局と通信する移動体端末にハンドオーバを実行するように命令する端末命令手段を備え、
前記論理制御ノードにおいて、前記セル内の負荷が第１の閾値を上回っているか否かを判定する工程と、
前記論理制御ノードにおいて、前記セル内の負荷が前記第１の閾値を上回っている場合に他のキャリアへ移行させるべき移動体端末であって、少なくとも前記第１の基地局と通信する少なくとも１つの移動体端末を選択する工程と、
前記論理制御ノードによって、前記少なくとも１つの移動体端末に対して他のキャリアへのハンドオーバの実行を命令するように、前記論理サービスノード内の前記端末命令手段に対して命令する工程と、
前記端末命令手段によって、制御ノード命令手段からの前記命令の受信に応じて、前記少なくとも１つの移動体端末に対して、他のキャリアへのハンドオーバを実行するように命令する工程と、
を有することを特徴とする方法。
【請求項１８】
ＷＣＤＭＡネットワークで使用するために、前記少なくとも１つの移動体端末は少なくとも前記第１の基地局と第１の周波数で通信し、前記他のキャリアは、前記第１の周波数と異なる第２の周波数を使用する、同一ネットワーク内の通信チャネルである、請求項１７に記載の方法。
【請求項１９】
前記他のキャリアは、異なる移動体電気通信ネットワーク内の通信チャネルである、請求項１７又は１８に記載の方法。
【請求項２０】
ＷＣＤＭＡネットワークで使用するために、前記論理サービスノードによって、前記少なくとも１つの移動体端末のための少なくとも１つのサービス指標を、選択手段に提供する工程を更に備え、
前記選択手段は、前記サービス指標に基づいて、前記少なくとも１つの移動体端末を選択する、請求項１７から１９のいずれか１項に記載の方法。
【請求項２１】
前記論理制御ノードからの要求に応じて、前記少なくとも１つのサービス指標を提供する工程を備える、請求項２０に記載の方法。
【請求項２２】
コネクションの開始時に、前記少なくとも１つのサービス指標を提供する工程を備える、請求項２０に記載の方法。
【請求項２３】
ある時期に、前記少なくとも１つのサービス指標を提供する工程を備える、請求項２０に記載の方法。
【請求項２４】
少なくとも１つの移動体端末を選択する前記工程は、前記少なくとも１つの基地局と前記少なくとも１つの移動体端末との間の通信の種類、例えば、会話、ストリーミング、双方向、又は、バックグラウンドに基づく、請求項１７から２３のいずれか１項に記載の方法。
【請求項２５】
少なくとも１つの移動体端末を選択する前記工程は、前記少なくとも１つの基地局と、前記少なくとも１つの移動体端末との間のコネクションにおける、レートと資源の使用との少なくともいずれかに基づいて行われる、請求項１７から２４のいずれか１項に記載の方法。
【請求項２６】
請求項１から７のいずれか１項に記載の少なくとも１つの論理制御ノードを備えることを特徴とする、ＣＤＭＡ準拠の電気通信ネットワークにおいて使用される無線制御ノード。
【請求項２７】
前記論理制御ノードと通信するように構成された、請求項８から１６のいずれか１項に記載の少なくとも１つの論理サービスノードを更に備える、請求項２６に記載の無線制御ノード。
【発明の詳細な説明】
【技術分野】
【０００１】
本発明は、請求項１のプリアンブルで規定される制御ノードと、請求項１０のプリアンブルで規定される電気通信ネットワークで使用される方法に関する。
【背景技術】
【０００２】
移動体電気通信ネットワークは一般にセルに分割され、セルはセル内の移動体端末と通信するための基地局をそれぞれ有している。
【０００３】
このため、一般に、基地局は、サービス品質と負荷を監視し制御するための機能を備えている。
【０００４】
ＷＣＤＭＡネットワークでは、ＵＴＲＡＮは、無線ネットワーク制御装置（ＲＮＣ：radio network controller）によって制御される１以上の基地局を有している。標準によれば、ＲＮＣは、論理的に、コントローリングＲＮＣ（ＣＲＮＣ：Controlling RNC）とサービングＲＮＣ（ＳＲＮＣ：Serving RNC）の２つのノードに分離される。
【０００５】
ＣＲＮＣは、資源制御（リソース・コントロール）、即ち、品質を落とさずに資源の使用を低レベルに保つことに関与する。資源にはセル内の全てのハードウェア資源が含まれ、例えば、キャパシティ、干渉、符号化も含まれる。ＳＲＮＣは、無線コネクションごとに、電力制御、ブロック誤り率（ＢＬＥＲ：Block Error Rate）、ビット誤り率（ＢＥＲ：Bit Error Rate）を含む、サービス品質を監視し制御する。ＳＲＮＣは、コネクションごとに行われている通信の種類を、例えば、音声、映像、データ通信といった形で追跡もする。ＳＲＮＣは、性能が非常に悪くなったときに、移動体端末にハンドオーバを行うように命令する機能を備えている。ハンドオーバは、ＷＣＤＭＡネットワーク内で他のチャネルへ切り替えたり、例えばＧＳＭのような他のネットワークへ切り替えたりすることによって行うことができる。
【０００６】
２つ以上のＲＮＣが使用される場合は、ＲＮＣは第３の論理ノードであるドリフトＲＮＣ（ＤＲＮＣ：Drift RNC）も備えている。
【０００７】
特定の各セルにおける負荷はあまり高くならないように制御すべきである。
【発明の開示】
【発明が解決しようとする課題】
【０００８】
本発明の目的は、特定のセルにおける負荷を制御するための方法及び装置を実現することである。
【課題を解決するための手段】
【０００９】
本発明の目的は、第１のセルを受け持つ第１の基地局を少なくとも制御する移動体電気通信ネットワークにおいて使用され、該セル内の資源を制御する機能と、サービス品質を制御するように構成された論理サービスノードと通信する機能とを備える、論理制御ノードであって、
上記論理サービスノードは、ハンドオーバに必要なアクションを開始するコンテキスト手段と、少なくとも第１の基地局と通信する移動体端末にハンドオーバを実行するように命令する端末命令手段と、を備え、
上記セル内の負荷が第１の閾値を上回っているか否かを判定する判定手段と、
上記セル内の負荷が第１の閾値を上回っている場合に他のキャリアへ移行させるべき移動体端末であって、少なくとも上記第１の基地局と通信する少なくとも１つの移動体端末を選択する選択手段と、
上記少なくとも１つの移動体端末に対して他のキャリアへのハンドオーバの実行を命令するように、上記論理サービスノード内のコンテキスト手段に対して命令する、制御ノード命令手段と、
を備えることを特徴とする論理制御ノードにより達せられる。
【００１０】
また、本発明の目的は、移動体電気通信ネットワークにおいて使用される論理サービスノードであって、
サービス品質を制御する機能と、第１のセルを受け持つ第１の基地局を少なくとも制御するように構成された論理制御ノードと通信する機能と、を備え、
更に、ハンドオーバに必要なアクションを開始する端末コンテキスト手段と、ネットワーク内で通信している移動体端末にハンドオーバを実行するように命令する端末命令手段と、を備え、
端末コンテキスト手段は、
端末命令手段に対して、少なくとも１つの移動体端末に他のキャリアへのハンドオーバを実行するように命令させる、ハンドオーバ命令を制御ノード命令手段から受信し、
制御ノード命令手段からハンドオーバ命令を受信した場合、少なくとも１つの移動体端末にハンドオーバの実行を命令するように、端末命令手段に対して命令する
ように構成されることを特徴とする、論理サービスノードによっても達せられる。
【００１１】
また、本発明の目的は、第１のセルを受け持つ第１の基地局と、該セル内の資源を制御する少なくとも１つの論理制御ノードと、サービス品質を制御する少なくとも１つの論理サービスノードと、を備える移動体電気通信ネットワークにおいて使用される方法であって、
論理サービスノードは、少なくとも第１の基地局と通信する移動体端末にハンドオーバを実行するように命令する端末命令手段を備え、
論理制御ノードにおいて、セル内の負荷が第１の閾値を上回っているか否かを判定する工程と、
論理制御ノードにおいて、セル内の負荷が第１の閾値を上回っている場合に他のキャリアへ移行させるべき移動体端末であって、少なくとも第１の基地局と通信する少なくとも１つの移動体端末を選択する工程と、
論理制御ノードによって、少なくとも１つの移動体端末に対して他のキャリアへのハンドオーバの実行を命令するように、論理サービスノード内の端末命令手段に対して命令する工程と、
端末命令手段によって、制御ノード命令手段からの命令の受信に応じて、少なくとも１つの移動体端末に対して、他のキャリアへのハンドオーバを実行するように命令する工程と、
を有することを特徴とする方法によっても達せられる。
【００１２】
従って、本発明によれば、特定のセルでの負荷が非常に高くなった場合に、１以上の移動体端末を移行させるためにハンドオーバを行うことが可能になる。現在の標準はサービスが悪くなったときにハンドオーバを開始する機能を備えているが、これはセル内の負荷に基づいてハンドオーバを実行する機能を特定していない。
【００１３】
本発明によれば、ハンドオーバ機能はＳＲＮＣが管理するが、負荷はＣＲＮＣが管理するという現実を、負荷が非常に高いとＣＲＮＣが判定したときに、ＣＲＮＣがＳＲＮＣに対してハンドオーバを開始するように命令できるようにしたことによって克服している。ＣＲＮＣは、ハンドオーバを実行するように命令すべき端末の選択も行う。これにより、ＳＲＮＣとＣＲＮＣとの間で最小限の信号伝達を行うだけで、選択された端末が実際に移行させるべき端末であることを保証することができる。
【００１４】
上記の制御ノード命令手段は、Ｉｕｒインタフェース上のＲＮＳＡＰメッセージの手段によって、上記のコンテキスト手段に命令するように構成してもよい。この場合、端末のコンテキスト手段は、制御ノード命令手段から、Ｉｕｒインタフェース上のＲＮＳＡＰメッセージとしてハンドオーバの命令を受信するように構成される。このため異なるＲＮＣに属するＣＲＮＣとＳＲＮＣの間で通信を行うことが可能となるが、これは、あるセルで通信を開始した移動体端末が、他のＲＮＣによって制御される他のセルへ移動するときに必要となることである。
【００１５】
好適な実施形態においては、上記の少なくとも１つの移動体端末は少なくとも第１の基地局と第１の周波数で通信し、上記の他のキャリアは、第１の周波数と異なる第２の周波数を使用する、同一ネットワーク内の通信チャネルである。
【００１６】
他のキャリアは、これに代えて、異なる移動体電気通信ネットワークにおける通信チャネルでもよい。
【００１７】
好適な実施形態においては、ＷＣＤＭＡネットワークにおいて使用するために、論理サービスノードは、上記の少なくとも１つの移動体端末のための少なくとも１つのサービス指標（service indicator）を、論理制御ノード中の上記の選択手段へ提供するサービス指標手段を備える。選択手段は、上記の少なくとも１つ移動体端末のための少なくとも１つのサービス指標を上記のサービスノードから受信し、その選択を該サービス指標に基づいて行うように構成される。
【００１８】
サービス指標は、コネクションが確立されたときに、地上ネットワークにおける交換局（ＭＳＣ又はＳＧＳＮ）によってＳＲＮＣへ報告される。このため、このような場合にＣＲＮＣが選択を実行するために、サービス指標をＳＲＮＣからＣＲＮＣへ報告しなければならない。好適な実施形態において、サービス指標は、各コネクションの確立時にＳＲＮＣからＣＲＮＣへ報告され、ＣＲＮＣ内に格納される。あるいは、ある時期に全てのサービス指標をＳＲＮＣからＣＲＮＣへ報告することもできるし、又は、ＣＲＮＣがＳＲＮＣからサービス指標を要求することもできる。重要なことは、ハンドオーバに関する決定をするために必要なときに、ＣＲＮＣはサービス指標を利用可能であるという点である。
【００１９】
好適には、論理サービスノードは、実行するハンドオーバの種類を選択するハンドオーバ選択手段を更に備える。
【００２０】
選択手段は、その選択を、少なくとも１つの基地局と少なくとも１つの移動体端末との間のサービスの種類に基づいて行うように構成される。
【００２１】
ハンドオーバを実行する端末は、各端末とそれぞれの基地局との間で行われる通信の種類（音声、ＣＳ、マルチ、又は、パケットデータ）に基づいて選択してもよい。例えば、ＧＳＭへハンドオーバする端末として、音声通信に関わっている端末を選択することは、このような通信はこれに悪影響を受けないため、好適だろう。
【００２２】
端末は、サービス指標に基づいて選択することもできる。これは、他のネットワークへのハンドオーバが実行される場合に必要である。今のところ以下の４つのサービス指標が用いられる。
・勧告（Should）：端末は可能ならば常に他のネットワークへハンドオーバすべきである。
・非勧告（Should not）：端末はサービス品質が悪い場合は他のネットワークへハンドオーバしてもよい。
・禁止（Shall not）：端末は他のネットワークへハンドオーバしてはならない。
・欠落（Missing）：サービス指標が記載されていない。
【００２３】
好適な実施形態においては、「勧告」又は「欠落」のサービス指標を有する移動体端末は、負荷が非常に高い場合にハンドオーバする端末として選択されてもよい。少なくとも１つの移動体端末の選択する工程は、少なくとも１つの基地局と少なくとも１つの移動体端末との間のトラフィックのクラス、例えば、会話、ストリーミング、双方向、又は、バックグラウンドに基づいてもよい。
【００２４】
あるいはこれに代えて、又はこれと共に、少なくとも１つの移動体端末を選択することは、少なくとも１つの基地局と、少なくとも１つの移動体端末との間のコネクションにおける、レートと資源の使用との少なくともいずれかに基づいて行ってもよい。
【００２５】
また、本発明は、上述の少なくとも１つの論理制御ノードを備えることを特徴とする、ＣＤＭＡ準拠の電気通信ネットワークにおいて使用される無線制御ノードにも関する。これは、論理制御ノードと通信するように構成された、上述の少なくとも１つの論理サービスノードを備えてもよい。
【発明を実施するための最良の形態】
【００２６】
以下、添付図面を参照して本発明をより詳細に説明する。
【００２７】
図１は、複数の基地局３を制御する１つの無線ネットワーク制御装置（ＲＮＣ）１を備える移動体電気通信ネットワークの概観図であり、各基地局３は、少なくとも１つのセル内で、複数の移動体端末５と通信することが可能である。当該技術分野では一般的であるが、ＲＮＣ１は、コントロールＲＮＣ（ＣＲＮＣ：Control RNC）７とサービスＲＮＣ（ＳＲＮＣ：Service RNC）９の、２つの論理ノードを備えている。ＣＲＮＣ７は、基地局３が担当する各セル内の負荷の制御を担っている。ＣＲＮＣは、各セルの負荷を判定する負荷判定手段１１を備えている。特定のセルの負荷が第１の閾値を上回った場合、可能ならば、このセル内で通信している１以上の移動体端末３は移行させるべきである。このため、ＣＲＮＣ７は、セル内の負荷が第１の閾値を上回った場合に他のキャリアへ移行させるべき、少なくとも第１の基地局と通信している１以上の移動体端末を選択する選択手段１３を備えている。さらに、ＣＲＮＣ７は、少なくとも１つの移動体端末にハンドオーバの実行を命令するように、ＳＲＮＣ９に対して命令する制御ノード命令手段１５も備えている。ＳＲＮＣは、１以上の移動体端末に対してハンドオーバの実行を命令するように構成される端末命令手段１７，２３を備えている。ＣＲＮＣとＳＲＮＣは、通常、無線ネットワーク制御装置（Radio Network Controller）と呼ばれる同一の物理ユニット内に実装されるが、必ずしもそうでなくてもよい。
【００２８】
図１に示される実施形態では、移動体電気通信ネットワークはＷＣＤＭＡネットワークである。ハンドオーバは、他のネットワークへ移行するように行ってもよいし、そのＷＣＤＭＡネットワーク内で他の周波数へ移行するように行ってもよい。以下の議論では、ハンドオーバは、ＧＳＭネットワークなどの他のネットワークへ移行するように行われると仮定する。ＷＣＤＭＡ標準によれば、通信に関与する各端末は、それに割り当てられたサービス指標を有しており、これはサービス・ハンドオーバとも呼ばれている。サービス指標は、交換局（ＭＳＣ又はＳＧＳＮ）からＳＲＮＣ９内のサービス指標ユニット１９へ通信される。本発明のこの実施形態においては、サービス指標ユニット１９は、各コネクションのためのサービス指標を、ＣＲＮＣ７の選択手段１３が利用できるようにするように構成され、選択手段１３は、移行させるべき端末の選択を、そのサービス指標に基づいて行うように構成される。異なるサービス指標について、それらがどのように選択手段１３に報告され、どの端末を移行させるべきか決定するためにそれらをどのように用いてよいかについて、以上説明した。
【００２９】
現在のセル内の負荷を削減するためにハンドオーバの実行を命令すべき１以上の端末を選択手段１３が選択した場合、選択手段１３は、ＣＲＮＣ内の制御ノード命令手段１５に通知して、ＳＲＮＣ９内の端末コンテキストユニット２１に対して、ハンドオーバを開始するのに必要なアクションを起動するように命令する。この場合、ハンドオーバは、あるネットワーク（即ち、ＷＣＤＭＡ）から異なるネットワーク（即ち、ＧＳＭ）へ行われるため、これは、ＩＲＡＴ（Inter-radio Access Technology：無線間アクセス技術）アクションを、制御ノード命令手段１５から、ＩＲＡＴ ＨＯを開始する端末コンテキストユニット２１へ送信することを伴う。端末コンテキストユニット２１は、選択された１以上の端末にＧＳＭネットワークへのハンドオーバの実行を命令するように、ＩＲＡＴ ＨＯユニット１７に対して次々と命令するだろう。
【００３０】
あるいは、ハンドオーバは、同一ネットワーク内の、負荷がそれほど高くない他のセルへ移行させるように行ってもよい。この場合、周波数間ハンドオーバ（inter-frequency handover）が実行されるだろう。次に、端末コンテキストユニット２１は、選択された１以上の端末に対して選択された周波数へのハンドオーバの実行を命令するように、ＩＦ ＨＯユニット２５に対して命令するだろう。周波数間ハンドオーバはサービス指標に関わらず実行可能であるため、図１に示されるサービス指標ユニット１９と選択ユニット１３との間の通信はこの場合不要である。
【００３１】
実行すべきハンドオーバの種類、即ち、周波数間のハンドオーバであるか他のネットワークへのハンドオーバであるかは、通常、ＳＲＮＣ９内の端末コンテキスト手段２１によって決定される。この決定をＣＲＮＣ内で行い、ＣＲＮＣから端末コンテキスト手段２１へのメッセージにこの情報を含めることも可能であろう。あるいは、ＣＲＮＣは、好適なハンドオーバの種類を端末コンテキスト手段２１に通知するが、最終的な決定を端末コンテキスト手段に残すこともできる。
【００３２】
ハンドオーバを実行すべき端末は、各端末とそれぞれの基地局との間で行われる通信の種類（音声、ＣＳ、マルチ、又は、パケットデータ）に基づいて選択してもよい。例えば、ＧＳＭへハンドオーバする端末として、音声通信に関わっている端末を選択することは、このような通信はこれに悪影響を受けないため、好適だろう。決定において使用してもよい他のパラメータには、通信レートや資源の使用が含まれる。通信の種類と他のパラメータとの少なくともいずれかは、サービス指標と組み合わせて用いることもできる。
【００３３】
制御ノード命令手段１５からハンドオーバが要求された場合、端末コンテキスト手段２１は、好適には、制御ノード命令手段１５に応答して、ハンドオーバの実行が成功したか否かを通知する。この応答は、ハンドオーバが成功したときの肯定応答（acknowledgement）と、ハンドオーバが成功しなかったときの否定応答（negative acknowledgement）との少なくともいずれかの形態で行ってもよい。端末命令手段が実行すべきでないと判定したためハンドオーバが完了しなかった場合や、あるいは、他の何らかの理由で失敗した場合に、否定応答が示すことができるようにしてもよい。
【００３４】
図２は、複数の基地局３をそれぞれ制御する、第１、第２の無線ネットワーク制御装置（ＲＮＣ）３１，３３を備える移動体電気通信ネットワークの概観図である。各基地局３は少なくとも１つのセルを受け持ち、セル内の移動体端末と通信する。上記と同様に、ＲＮＣ３１，３３はそれぞれ、図１のＲＮＣ１の論理制御ノードと論理サービスノードと類似した、論理制御ノード７と論理サービスノード９を備えている。異なるＲＮＣ３１，３３の間での通信を可能にするため、第２のＲＮＣ３３は、ドリフトＲＮＣ（ＤＲＮＣ：Drift RNC）３５と呼ばれる論理ノードを備えている。当業者には、ＲＮＣ間の通信は広く知られている。図２は、移動体端末が、第１のＲＮＣ３１によって制御される基地局３との通信を開始し、後に、第２のＲＮＣ３３によって制御される他の基地局３へのハンドオーバを実行したときの状況を示している。この場合、第１のＲＮＣ３１の論理サービスノード９は、通信のサービス品質をまだ担っている。負荷の管理は、実際的な理由から、第２のＲＮＣ３３の論理制御ノード７によって実行される。このため、２つのＲＮＣ３１，３３は、両方とも、コネクションの監視と制御に関与している。第２のＲＮＣ３３のＣＲＮＣ７は、第１のＲＮＣ３１の論理サービスノード９と、第２のＲＮＣ３３のＤＲＮＣ３５を介して通信する。この例では、第１のＲＮＣ３１の論理制御ノード７と、第２のＲＮＣ３３の論理サービスノード９は関与していない。第２のＲＮＣ３３のＳＲＮＣ９はこの例では必要ない。
【００３５】
第２のＲＮＣ３３の論理制御ノード７と第１のＲＮＣ３１の論理サービスノード９は、図１に示したのと本質的に同様に実装することができ、違いは、通信が第２のＲＮＣ３３のＤＲＮＣ３５を経由して行われることだけである。従って、第１のＲＮＣ３１のサービス指標ユニット１９は、各コネクションのサービス指標を、第２のＲＮＣ３３の制御手段７の選択手段１３がＤＲＮＣ３５を経由して利用できるようにするように構成されている。同様に、ＣＲＮＣ７内の制御ノード命令手段１５は、ＳＲＮＣ９内の端末コンテキストユニット２１に対して、第２のＲＮＣ３３のＤＲＮＣ３５を経由して、ハンドオーバを開始するのに必要なアクションを起動するように命令する。
【００３６】
ＲＮＣノード３１，３３の間にはＩｕｒインタフェースが存在し、これはＷＣＤＭＡ標準で定義されており、従って当業者に広く知られている。当業者には知られているように、Ｉｕｒインタフェースは、ＲＮＳＡＰ（Radio Network Subsystem Application Protocol：無線ネットワークサブシステム・アプリケーション・プロトコル）と呼ばれるプロトコルに適応されている。本発明に基づき必要となる新たなメッセージは、このプロトコル内で容易に実装することができる。同一のＲＮＣ内におけるＳＲＮＣとＣＲＮＣとの間の内部通信については、標準は特定されない。
【図面の簡単な説明】
【００３７】
【図１】複数の基地局を制御する１つの無線ネットワーク制御装置を備える移動体電気通信ネットワークの概観図である。
【図２】それぞれ複数の基地局を制御する、２以上の無線ネットワーク制御装置を備える移動体電気通信ネットワークの概観図である。
【図１】
2008530945.tif 000003
【図２】
2008530945.tif 000004
【国際調査報告】
2008530945.tif 000005
2008530945.tif 000006